(57)【要約】【課題】  ボルトが物品の緊締面に対して垂直でない場合においても、その物品を適切に緊締することができ、しかもそのボルトの緊締面に対する角度が異っても、それに追従して常に適切に緊締可能な傾斜座金を提供することを目的とする。【解決手段】  球面をなす凹面９を有する下座金７と、前記凹面９に適合する凸面１０を有する上座金８とを、前記凹面９と凸面１０とを摺動可能に適合させて重ね合わせてなる。前記上座金８は適用するボルト２よりもやゝ大径の透孔１２を有すると共に、前記下座金７は前記上座金８の透孔１２よりも大径の透孔１１を有することが好ましい。【選択図】          図１
2006300226.tif 000002
【特許請求の範囲】
【請求項１】
球面をなす凹面（９）を有する下座金（７）と、前記凹面（９）に適合する凸面（１０）を有する上座金（８）とを、前記凹面（９）と凸面（１０）とを摺動可能に適合させて重ね合わせてなることを特徴とする、傾斜座金
【請求項２】
前記上座金（８）は適用するボルト（２）よりもやゝ大径の透孔（１２）を有すると共に、前記下座金（７）は前記上座金（８）の透孔（１２）よりも大径の透孔（１１）を有することを特徴とする、請求項１に記載の傾斜座金
【発明の詳細な説明】
【技術分野】
【０００１】
本発明はボルトとナットとで物品を緊締する際に使用する座金に関するものであって、、特にボルトが物品の緊締面に対して傾斜していても、常に適切に締め付けることのできる傾斜座金に関するものである。
【背景技術】
【０００２】
通常ボルトとナットとで物品を緊締する際には、ボルトは物品の緊締面に対して常に垂直であることが要求される。そしてその緊締の際にボルト頭又はナットと物品の緊締面との間に介装される座金は、通常平板状である。
【０００３】
スプリングワッシャなどにおいては、単純な平板状でないものもあるが、その場合であってもボルト頭又はナットと物品の緊締面とが平行であることを前提とするものであり、その両者が平行でないと適切に緊締することができない。
【０００４】
しかしながら、例えば建築物のコンクリートの基礎にボルトを埋め込み、当該基礎上に設置した建築部材をそのボルトで緊締することが行われているが、かかるボルトを厳密に垂直に埋め込むことは容易ではなく、往々にして傾くことがある。
【０００５】
また基礎上に設置した建築部材が、建築物の構造上の要請によって傾斜していることもあり、埋め込みボルトが建築部材の緊締面に対して傾いた状態で緊締しなければならないことが少なくない。またその傾斜角度も、常に一定であるとは限らず、その時々で傾斜角度が変動することもある。
【０００６】
特開平８−３２６７３３号公報や特開２００３−９０３２３号公報には、ボルトが物品の緊締面に対して垂直でない場合に使用する座金が記載されている。図４はこれらの座金の使用状態を示すものであって、テーパー面を有する物品１をボルト２とナット３とを緊締するに際し、テーパーを有する座金４を使用するものである。
【０００７】
しかしながらこれらの座金４は、ボルト２と物品１の緊締面５とが所定の角度で傾斜している場合にのみ適用できるものであって、その傾斜角度が変った場合にはその角度に見合った別の座金４を使用しなければならない。
【特許文献１】特開平８−３２６７３３号公報
【非特許文献１】特開２００３−９０３２３号公報
【発明の開示】
【発明が解決しようとする課題】
【０００８】
本発明はかかる事情に鑑みなされたものであって、ボルトが物品の緊締面に対して垂直でない場合においても、その物品を適切に緊締することができ、しかもそのボルトの緊締面に対する角度が異っても、それに追従して常に適切に緊締可能な傾斜座金を提供することを目的とするものである。
【課題を解決するための手段】
【０００９】
而して本発明は、球面をなす凹面を有する下座金と、前記凹面に適合する凸面を有する上座金とを、前記凹面と凸面とを摺動自在に適合させて重ね合わせてなることを特徴とするものである。
【００１０】
本発明においては、前記上座金は適用するボルトよりもやゝ大径の透孔を有すると共に、前記下座金は前記上座金の透孔よりも大径の透孔を有することが好ましい。
【発明の効果】
【００１１】
本発明によれば、下座金と上座金とが、凹面と凸面とが密着しつつ摺動することができる。従って下座金が物品の緊締面に密着した状態で、上座金を摺動させることにより当該上座金の上面の角度を変化させることができ、ボルト頭又はナットを当該上座金の上面に密着させることができる。
【００１２】
従って、ボルトと緊締面とが垂直でない場合においても、ボルト頭又はナット、上座金、下座金、物品の緊締面の四者が、相互に密着した状態で緊締することができ、またボルトと緊締面との角度が変っても、上座金と下座金とを相互に摺動させることにより、ボルトの角度に適合させることができるのである。
【発明を実施するための最良の形態】
【００１３】
以下本発明の座金の実施の形態を、図面に従って説明する。図１は本発明の傾斜座金６を示すものであって、当該傾斜座金６は下座金７と上座金８との二つの部材を重ね合わせてなっている。
【００１４】
下座金７は略円盤状であって、下面は平坦であるが、上面は球面をなす凹面９を形成しており、また前記上座金８の下面は前記下座金７の凹面９に適合する球面をなす凸面１０を形成し、上面は平坦となっている。また下座金７及び上座金８の中心にはそれぞれ、ボルト２を通すための透孔１１、１２が穿設されている。
【００１５】
而してこの下座金７と上座金８とを、凹面９と凸面１０とが当接するように重ね合わせると、その凹面９と凸面１０とは適合しつつ摺動可能である。この両面が摺動することにより、上座金８は下座金７に対して凹面９と凸面１０の曲率の中心を中心として回動することとなり、上座金８の上面は下座金７の下面に対する角度が変化する。
【００１６】
従って下座金７の下面を物品１の緊締面５に密着させた状態で、上座金８を下座金７に対して摺動させ、当該上座金８の上面がボルト２の頭部又はナット３に密着し得る角度とすることにより、緊締面５がボルト２に対して傾斜している場合であっても、確実に緊締することができるのである。
【００１７】
図２は物品１の緊締面５がボルト２に対して垂直である場合における、本発明の傾斜座金６の使用状態を示すものであって、物品１の緊締面５に下座金７の下面を当接させ、当該下座金７にその凹面９に凸面１０が当接するように上座金８を重ね、その状態で透孔１１、１２にボルト２を通し、ナット３を螺合して締め付ける。
【００１８】
このとき図２においては緊締面５がボルト２に対して垂直であるので、下座金７の下面と上座金８の上面とが平行面をなす状態でボルト２とナット３とを締め付ければ、通常の座金と同様に適切に緊締することができる。
【００１９】
これに対し図３は、物品１の緊締面５がボルト２に対して傾斜している場合における、傾斜座金６の使用状態を示すものである。すなわち下座金７の下面は傾斜した緊締面５に密着しており、その上に上座金８が載置され、当該上座金８は下座金７の側方に摺動した状態で凸面１０が凹面９に密着し、その上座金８の上面はボルト２に対して垂直な面を形成している。
【００２０】
この状態でボルト２にナット３を螺合して締め付けると、上座金８の上面はナット３に密着することができ、且つ上座金８の凸面１０が下座金７の凹面９に密着し、下座金７の下面は緊締面５に密着して、物品１を強固に緊締することができる。
【００２１】
また物品１の緊締面５とボルト２との角度が変化した場合においては、上座金８を下座金７に対して摺動させて、上座金８の上面がボルト２に対して垂直となる位置において、ボルト２とナット３とを緊締することにより、緊締面５とボルト２との角度の如何を問わず緊締可能となるのである。
【００２２】
なお本発明においては、上座金８が下座金７に対して側方に摺動したときには、下座金７と上座金８との中心位置がずれるので、透孔１１、１２にボルト２を挿通するためには、上座金８の透孔１２をボルト２の径よりもやゝ大きいものとすると共に、下座金７の透孔１１を上座金８の透孔１２の径よりも大きいものとすることが好ましい。
【産業上の利用可能性】
【００２３】
本発明の傾斜座金は建築や機械などの分野をはじめ、広範囲の分野において利用可能である。例えば前述の建築物の基礎１４に埋め込みボルト１３を埋め込んで、その埋め込みボルト１３で建築部材１５を固定する場合において、図５に示すように埋め込みボルト１３が歪んで固定されているような場合であっても、また図６に示すように建築部材１５の面が傾斜している場合でも、常に適切に緊締し、固定することができる。
【図面の簡単な説明】
【００２４】
【図１】本発明の傾斜座金の斜視図
【図２】本発明の傾斜座金を緊締面に対して垂直なボルトに対して適用した状態を示す中央縦断面図
【図３】本発明の傾斜座金を緊締面に対して傾斜したボルトに対して適用した状態を示す中央縦断面図
【図４】従来の傾斜座金の使用状態を示す中央縦断面図
【図５】本発明の傾斜座金を歪んだ埋め込みボルトに適用した状態を示す中央縦断面図
【図６】埋め込みボルトで傾斜した建築部材を固定する場合に、本発明の傾斜座金を適用する状態を示す中央縦断面図
【符号の説明】
【００２５】
６  座金
７  下座金
８  上座金
９  凹面
１０  凸面
１１、１２  透孔
【図１】
2006300226.tif 000003
【図２】
2006300226.tif 000004
【図３】
2006300226.tif 000005
【図４】
2006300226.tif 000006
【図５】
2006300226.tif 000007
【図６】
2006300226.tif 000008